(57)【要約】【課題】特殊なデバイスを必要とせず、簡単な構成で出力信号の温度依存性を抑制できるレベル検波回路を提供する。【解決手段】ＡＣ信号を増幅する増幅器１０と、上記増幅器１０により増幅された信号を二乗する二乗演算回路２０とを備え、上記増幅器１０は、利得が絶対温度に比例する特性を有し、且つ、上記二乗演算回路２０は、出力信号が温度の二乗に反比例する特性を有する。【選択図】図１
2007288533.tif 000002
【特許請求の範囲】
【請求項１】
入力されたＡＣ信号に応じたＤＣ信号を出力するレベル検波回路であって、
上記ＡＣ信号を増幅する増幅器と、
上記増幅器により増幅された信号を二乗する二乗演算回路とを備え、
上記増幅器は、利得が絶対温度に比例する特性を有し、且つ、上記二乗演算回路は、出力信号が温度の二乗に反比例する特性を有することを特徴とするレベル検波回路。
【請求項２】
上記増幅器の利得は、ＢＴ、且つ、
上記二乗演算回路の出力信号は、Ｃ（（ＶＩＮ）２／Ｔ２）、
（Ｔ：絶対温度、ＶＩＮ：二乗演算回路に入力される信号、Ｂ＝（ｑＲＩ０）／（２Ｋ）、Ｃ＝（Ｒｑ２Ｉ１２）／（８Ｋ２）、Ｋ：ボルツマン定数、ｑ：クーロン量、Ｒ：抵抗、Ｉ０，Ｉ１：定電流）、
で示されていることを特徴とする請求項１に記載のレベル検波回路。
【請求項３】
上記増幅器は、
エミッタを共通とした一対のトランジスタにより構成されている差動増幅アンプにより構成されており、該差動増幅アンプに使用されている定電流源が温度の二乗に比例する特性を有することを特徴とする請求項１または２に記載のレベル検波回路。
【請求項４】
上記二乗演算回路は、
ギルバートセルにより構成されており、該ギルバートセルの定電流源が温度依存性の無いことを特徴とする請求項１または２に記載のレベル検波回路。
【請求項５】
上記差動増幅アンプに使用されている定電流源は、
絶対温度に比例する特性を有する電流源と、温度依存性の無い電流源とを備える２乗除算回路により構成されており、
上記２乗除算回路は、上記絶対温度に比例する特性を有する電流源からの供給電流を２乗し、該二乗した供給電流を、上記温度依存性の無い電流源からの供給電流で除算することを特徴とする請求項３に記載のレベル検波回路。
【請求項６】
請求項１〜５のいずれか１項に記載のレベル検波回路を集積化した集積回路。
【請求項７】
受信した信号の強度を判定するレベル検波回路を備えた通信機器において、
上記レベル検波回路は、請求項１〜５のいずれか１項に記載のレベル検波回路であることを特徴とする通信機器。
【発明の詳細な説明】
【技術分野】
【０００１】
本発明は、無線受信装置などに用いられるレベル検波回路、上記レベル検波回路を集積化した集積回路、および上記レベル検波回路を備えた通信機器に関するものである。
【背景技術】
【０００２】
従来、通信機能を備えて通信を行う無線装置が、広く使用されている。無線装置には、例えば、テレビ、ラジオ、携帯電話、およびコードレスホンなどの、受信する信号の大きさが決まっていない無線受信装置がある。
【０００３】
上記のような無線受信装置では、入力信号の強度を判定するために、レベル検波回路が必要不可欠なものとなっている。
【０００４】
ここで、上記レベル検波回路が用いられている装置の中でも、特に、ＡＧＣ（オートマチックゲインコントローラ）回路を用いている装置に、レベル検波回路は好適に用いられている。
【０００５】
レベル検波回路が、上記ＡＧＣ回路を用いている装置に備えられている場合の、信号が入力されてから、出力されるまでの動作について、図６を参照しながら以下に説明する。
【０００６】
図６は、レベル検波回路２０４を備えたＡＧＣ回路２００の回路図である。
【０００７】
最初に、信号が入力端子２０１に入力される。
【０００８】
次いで、上記入力信号は、ＶＧＡ（利得可変増幅器）２０２に入力されて、増幅される。
【０００９】
上記ＶＧＡ２０２から出力された信号は、出力端子２０３とレベル検波回路２０４とに入力される。
【００１０】
レベル検波回路２０４では、入力された信号に応じたＤＣ電圧が出力される。なお、上記出力されるＤＣ電圧の詳細については、後述する。
【００１１】
次いで、上記レベル検波回路２０４から出力されたＤＣ電圧は、オペアンプ２０５によって基準電源２０６の電圧と比較される。
【００１２】
上記比較した結果、レベル検波回路２０４から出力されたＤＣ電圧が基準電源２０６の電圧よりも小さければ、レベル検波回路２０４への入力信号レベルを変更することによって、レベル検波回路２０４から出力されるＤＣ電圧が大きくなるように、ＶＧＡ２０２のゲインが大きく設定される。
【００１３】
逆に、レベル検波回路２０４から出力されたＤＣ電圧が基準電源２０６の電圧よりも大きければ、レベル検波回路２０４への入力信号レベルを変更することによって、レベル検波回路２０４から出力されるＤＣ電圧が小さくなるように、ＶＧＡ２０２のゲインが小さく設定される。
【００１４】
このように負帰還を行わせているので、安定状態においては、「基準電源２０６の電圧＝レベル検波回路２０４の出力ＤＣ電圧」となるように、ＡＧＣ回路２００は制御されている。
【００１５】
また、入力信号が変動した場合においても上記負帰還のメカニズムが働いている限り、出力端子２０３の出力信号レベル、すなわちレベル検波回路２０４の出力ＤＣ電圧は、基準電源２０６の電圧に一致するような信号レベルに固定される。
【００１６】
次に、上記レベル検波回路２０４から出力されるＤＣ電圧について詳細に説明する。
【００１７】
上記レベル検波回路２０４に入力される信号をＤｓｉｎωｔとすると、出力されるＤＣ電圧ＶＯＵＴは、
【００１８】
【数１】
2007288533.tif 000003
【００１９】
となる。
【００２０】
よって、電流ＩＺは温度依存性が無いので、レベル検波回路２０４の出力ＤＣ電圧ＶＯＵＴは、温度の二乗に反比例する。
【００２１】
したがって、レベル検波回路２０４から出力されるＤＣ電圧は、温度依存性を有していることがわかる。
【００２２】
ところで、無線受信装置は様々な環境下で使用される。例えば、携帯電話などでは、冬はマイナス２０℃の環境で使用されることが想定されるし、夏場に暑い車内に放置された場合、９０℃を超える環境に置かれることも想定される。
【００２３】
したがって、レベル検波回路から出力されるＤＣ電圧は、温度の二乗に反比例するという温度依存性を有しているので、様々な環境における周囲温度の影響を受けることによって、出力ＤＣ電圧が変動するという問題が生じる。
【００２４】
そこで、例えば、特許文献１には、自乗検波を行うレベル検出回路の信号検出過程において、温度補償ができる技術が開示されている。この技術では、対数増幅器の後段に、サーミスタを有する増幅器を備えることによって、サーミスタの抵抗値の変化が増幅器の増幅率を変化させるので、温度補償がなされた出力信号を得ることができる。
【特許文献１】特開２０００−２８６６５６号公報（平成１２年１０月１３日公開）
【発明の開示】
【発明が解決しようとする課題】
【００２５】
しかしながら、上述した特許文献１に記載の技術では、サーミスタは、対数増幅器から出力された温度影響を受けた信号を検出する。そして、検出値に応じたサーミスタの抵抗値の変化が増幅器の増幅率を変化させる。つまりは、温度影響を受けた出力信号を調整していることになる。
【００２６】
また、温度影響を受けた出力信号を検出するために、対数増幅器と略同一の温度特性を有する補償素子を備える特殊なデバイスが必要である。さらに、温度補償を行うために、複雑な変換回路を備えなければならない。
【００２７】
結局、出力信号が温度依存性を有するために、出力信号を検出する特殊なデバイスが必要となったり、出力信号を調整するための複雑な変換回路を追加しなければならないという問題点がある。
【００２８】
本発明は、上記従来の問題点に鑑みなされたものであって、その目的は、特殊なデバイスを必要とせず、簡単な構成で出力信号の温度依存性を抑制できるレベル検波回路を提供することにある。
【課題を解決するための手段】
【００２９】
本発明のレベル検波回路は、上記課題を解決するために、入力されたＡＣ信号に応じたＤＣ信号を出力するレベル検波回路であって、上記ＡＣ信号を増幅する増幅器と、上記増幅器により増幅された信号を二乗する二乗演算回路とを備え、上記増幅器は、利得が絶対温度に比例する特性を有し、且つ、上記二乗演算回路は、出力信号が温度の二乗に反比例する特性を有することを特徴としている。
【００３０】
上記の構成によれば、増幅器は、利得が絶対温度に比例する特性を有し、且つ、二乗演算回路は、出力信号が温度の二乗に反比例する特性を有するので、該増幅器から出力される信号が、該二乗演算回路に入力されることで、該二乗演算回路から出力される信号の温度特性が相殺され、該二乗演算回路からの出力信号に温度依存性がなくなる。
【００３１】
したがって、二乗演算回路からの出力信号に温度依存性がないので、レベル検波回路から出力される信号においても温度依存性が抑制されていることになり、温度影響を受けずに安定したレベル検波を行うことが可能となる。
【００３２】
しかも、レベル検波回路は、増幅器の出力信号の温度特性、二乗演算回路の出力信号の温度特性を規定しているだけであるので、レベル検波回路の出力信号の温度を補償するための特殊なデバイスを必要としない。
【００３３】
したがって、特殊なデバイスを必要としないので、簡単な構成で出力信号の温度依存性を抑制できる。
【００３４】
また、上記増幅器の利得はＢＴ、且つ、上記二乗演算回路の出力信号は、Ｃ（（ＶＩＮ）２／Ｔ２）、（Ｔ：絶対温度、ＶＩＮ：二乗演算回路に入力される信号、Ｂ＝（ｑＲＩ０）／（２Ｋ）、Ｃ＝（Ｒｑ２Ｉ１２）／（８Ｋ２）、Ｋ：ボルツマン定数、ｑ：クーロン量、Ｒ：抵抗、Ｉ０，Ｉ１：定電流）で示されていることが好ましい。
【００３５】
上記の構成によれば、増幅器に入力されるＡＣ信号をＡｓｉｎωｔとし、増幅器の利得をＢＴとすると、増幅器によって増幅され、出力される信号は、ＡＢＴｓｉｎωｔとなる。
【００３６】
二乗演算回路では、
【００３７】
【数２】
2007288533.tif 000004
【００３８】
の演算が行われるとすると、二乗演算回路から出力される信号は、
【００３９】
【数３】
2007288533.tif 000005
【００４０】
となり、温度特性が相殺される。よって、二乗演算回路からの出力信号に温度依存性がなくなる。
【００４１】
したがって、二乗演算回路からの出力信号に温度依存性がないので、レベル検波回路から出力される信号においても温度依存性が抑制されていることになり、温度影響を受けずに安定したレベル検波を行うことが可能となる。
【００４２】
上記の増幅器としては、以下のような構成が可能である。
【００４３】
上記増幅器は、エミッタを共通とした一対のトランジスタにより構成されている差動増幅アンプにより構成されており、該差動増幅アンプに使用されている定電流源が温度の二乗に比例する特性を有することが好ましい。
【００４４】
上記の二乗演算回路としては、以下のような構成が可能である。
【００４５】
上記二乗演算回路は、ギルバートセルにより構成されており、該ギルバートセルの定電流源が温度依存性の無いことが好ましい。
【００４６】
上記の差動増幅アンプに使用されている定電流源としては、以下のような構成が可能である。
【００４７】
上記差動増幅アンプに使用されている定電流源は、絶対温度に比例する特性を有する電流源と、温度依存性の無い電流源とを備える２乗除算回路により構成されており、上記２乗除算回路は、上記絶対温度に比例する特性を有する電流源からの供給電流を２乗し、該二乗した供給電流を、上記温度依存性の無い電流源からの供給電流で除算することが好ましい。
【００４８】
また、本発明の集積回路は、上記課題を解決するために、上記レベル検波回路を集積化した集積回路である。
【００４９】
上記レベル検波回路は、増幅器の出力信号の温度特性、二乗演算回路の出力信号の温度特性を規定するだけで実現できる。
【００５０】
したがって、上記の構成によれば、増幅器の出力信号の温度特性、二乗演算回路の出力信号の温度特性は、トランジスタ、抵抗、およびコンデンサなどの集積回路で使用される一般的な素子を組み合わせることで実現することができるので、レベル検波回路の出力信号の温度を補償するための特殊なデバイスを必要とせず、レベル検波回路を集積回路上で簡単に実現することが可能となる。
【００５１】
また、本発明の通信機器は、上記課題を解決するために、上記レベル検波回路を備えることを特徴としている。
【００５２】
通信機器は様々な環境下で使用されるので、レベル検波回路から出力される信号は、温度影響を受け不安定になる。
【００５３】
しかしながら、上記の構成によれば、出力信号の温度依存性を抑制することが可能なレベル検波回路を備えているので、様々な温度環境下で使用しても、安定した出力信号を得ることが可能となる。
【発明の効果】
【００５４】
本発明のレベル検波回路は、以上のように、ＡＣ信号を増幅する増幅器と、上記増幅器により増幅された信号を二乗する二乗演算回路とを備え、上記増幅器は、利得が絶対温度に比例する特性を有し、且つ、上記二乗演算回路は、出力信号が温度の二乗に反比例する特性を有するので、該増幅器から出力される信号が、該二乗演算回路に入力されることで、該二乗演算回路から出力される信号の温度特性が相殺され、該二乗演算回路からの出力信号に温度依存性がなくなり、その結果、特殊なデバイスを必要とせず、簡単な構成で出力信号の温度依存性を抑制できるという効果を奏する。
【発明を実施するための最良の形態】
【００５５】
（１−１）レベル検波回路の概要
本発明の一実施形態について説明すれば、以下の通りである。
【００５６】
図１は、本実施の形態のレベル検波回路１００を示すブロック図である。
【００５７】
本実施の形態のレベル検波回路１００は、図１に示すように、ＡＣ信号を増幅する増幅器１０、上記増幅器１０から出力されるＡＣ信号を二乗する二乗演算回路２０、および、
上記二乗演算回路２０から出力される信号のＡＣ成分を減衰させ、ＤＣ成分を通過させるＬＰＦ（ローパスフィルタ）４０を備えている。
【００５８】
最初に、本実施の形態のレベル検波回路１００の全体的な動作について、図１を参照しながら説明する。その後、各部分構成について詳細に説明する。
【００５９】
まず、入力端子１にＡＣ信号が入力され、該ＡＣ信号が増幅器１０に入力される。
【００６０】
上記増幅器１０に入力されるＡＣ信号をＡｓｉｎωｔとし、増幅器１０の利得をＢＴ（Ｔ＝絶対温度）とすると、増幅器１０によって増幅され、出力される信号は、ＡＢＴｓｉｎωｔとなる。
【００６１】
二乗演算回路２０では、
【００６２】
【数４】
2007288533.tif 000006
【００６３】
の演算が行われるとすると、二乗演算回路２０から出力される信号は、
【００６４】
【数５】
2007288533.tif 000007
【００６５】
となり、温度特性が相殺される。よって、二乗演算回路２０から出力される信号は、温度依存性がなくなる。
【００６６】
また、式（１）は、以下の式（２）のように書き直すことができる。
【００６７】
【数６】
2007288533.tif 000008
【００６８】
ＬＰＦ４０では、式（２）に示す二乗演算回路２０から出力された信号のうち、ＡＣ成分であるｓｉｎ２ωｔのみを除去し、Ａ２Ｂ２Ｃ／２を通過させる。
【００６９】
よって、出力端子２から出力される電圧は、Ａ２Ｂ２Ｃ／２という温度依存性の無いＤＣ成分のみの電圧となる。
【００７０】
したがって、レベル検波回路１００から出力されるＤＣ電圧は、温度依存性を抑制している。
【００７１】
また、本実施の形態のレベル検波回路１００の実施例を図２に示す。
【００７２】
図２は、本実施の形態のレベル検波回路１００の実施例を示す回路図である。
【００７３】
図２に示すように、上記レベル検波回路１００は、上記構成に加え、定電流源５０を備えている。
【００７４】
上記定電流源５０は、上記増幅器１０に使用されている定電流源であり、絶対温度の二乗に比例する特性を有している。
【００７５】
以下に、各部分構成について詳細に説明する。
【００７６】
（１−２）増幅器
増幅器１０について、図３を参照しながら詳細に説明する。
【００７７】
図３は、増幅器１０が、差動増幅アンプにより構成される一例を示す回路図である。
【００７８】
増幅器１０は、エミッタを共通とした一対のトランジスタＱ１１・Ｑ１２により構成されている差動増幅アンプにより構成されており、抵抗Ｒ１３・Ｒ１４をさらに備えている。
【００７９】
上記差動増幅アンプは、定電流源５０を備えており、該定電流源５０は、絶対温度の二乗に比例する特性を有している。なお、定電流源５０の構成については後述する。
【００８０】
上記差動増幅アンプの利得Ａｖは、
Ａｖ＝（ＲＩＡ）／２ＶＴ
で表される。また、
ＶＴ＝（ＫＴ）／ｑ
（Ｋ＝ボルツマン定数、Ｔ＝絶対温度、ｑ＝クーロン量）
である。
【００８１】
ここで、定電流源５０は絶対温度の二乗に比例する特性を有しているので、定電流源５０の出力電流ＩＡを、ＩＡ＝Ｉ０Ｔ２（Ｉ０＝定電流）とすると、差動増幅アンプの利得Ａｖは、
【００８２】
【数７】
2007288533.tif 000009
【００８３】
となる。
【００８４】
したがって、差動増幅アンプの利得Ａｖは、絶対温度に比例する。
【００８５】
（１−３）二乗演算回路
次に、二乗演算回路２０について、図４を参照しながら詳細に説明する。
【００８６】
図４は、二乗演算回路２０が、ギルバートセルにより構成される一例を示す回路図である。
【００８７】
二乗演算回路２０は、ギルバートセルにより構成されており、電流源２１・２２、トランジスタＱ２４・Ｑ２５、およびコンデンサＣ３３をさらに備えている。
【００８８】
上記ギルバートセルは、定電流源２３、トランジスタＱ２６〜Ｑ３１、および抵抗Ｒ３２で構成される部分である。
【００８９】
上記定電流源２３は、温度依存性が無い
上記トランジスタＱ２４・Ｑ２５は、上述した差動増幅アンプの利得のバッファアンプとして機能する。
【００９０】
上記コンデンサＣ３３は、ＬＰＦ４０で二乗演算回路２０から出力される信号のＡＣ成分の減衰に使用するための、ＬＰＦ４０用のコンデンサである。
【００９１】
上記二乗演算回路２０に入力される信号をＤｓｉｎωｔとすると、出力されるＤＣ電圧ＶＯＵＴは、
【００９２】
【数８】
2007288533.tif 000010
【００９３】
となる。
【００９４】
したがって、定電流源２３は温度依存性が無いことより、定電流源２３の出力電流ＩＢは温度依存性が無いので、二乗演算回路２０の出力ＤＣ電圧ＶＯＵＴは、温度の二乗に反比例する。
【００９５】
（１−４）定電流源
次に、定電流源５０について、図５を参照しながら詳細に説明する。
【００９６】
図５は、定電流源５０の一例を示す回路図である。
【００９７】
定電流源５０は、絶対温度に比例する特性を有する電流源５１、温度依存性の無い電流源５２、および、特性の揃ったトランジスタＱ５３〜Ｑ５８を備える２乗除算回路により構成されている。
【００９８】
上記定電流源５０の電流ＩＩＮ（１０）は、増幅器１０に入力される電流である。
【００９９】
上記定電流源５０の電流ＩＯＵＴ（１０）は、図３に示す定電流源５０の出力電流ＩＡとして使用される。すなわち、ＩＯＵＴ（１０）＝ＩＡである。
【０１００】
特性の揃ったトランジスタでは、ベース−エミッタ間電圧ＶＢＥの和が等しければ，コレクタ電流ＩＣの積が等しいので、
ＶＢＥ（Ｑ５３）＋ＶＢＥ（Ｑ５４）＝ＶＢＥ（Ｑ５５）＋ＶＢＥ（Ｑ５７）
により、
ＩＣ（Ｑ５３）ＩＣ（Ｑ５４）＝ＩＣ（Ｑ５５）ＩＣ（Ｑ５７）
となる。
【０１０１】
ここで、トランジスタＱ５３・Ｑ５４に流れる電流は、絶対温度に比例する特性を有する電流源５１から発生する電流ＩＤであるので、
ＩＣ（Ｑ５３）＝ＩＣ（Ｑ５４）＝ＩＤ
となる。
【０１０２】
また、トランジスタＱ５７・Ｑ５８は、ベース−エミッタ間電圧ＶＢＥが等しいので、コレクタ電流ＩＣ（Ｑ５７）・ＩＣ（Ｑ５８）は等しい。トランジスタＱ５７・Ｑ５８に流れる電流は、温度依存性の無い電流源５２から発生する電流ＩＥであるので、
ＩＣ（Ｑ５７）＝ＩＣ（Ｑ５８）＝ＩＥ
となる。
【０１０３】
よって、定電流源５０の電流ＩＯＵＴ（１０）は、
ＩＯＵＴ（１０）＝ＩＣ（Ｑ５５）＝（ＩＣ（Ｑ５３）ＩＣ（Ｑ５４））／ＩＣ（Ｑ５７）＝ＩＤ２／ＩＥ
となる。
【０１０４】
したがって、電流ＩＤは絶対温度に比例する特性を有する電流源５１から発生する電流であり、電流ＩＥは温度依存性の無い電流源５２から発生する電流であるので、定電流源５０の電流ＩＯＵＴ（１０）は絶対温度の二乗に比例する。
【０１０５】
なお、本実施の形態では、絶対温度に比例する特性を有する電流源と温度依存性の無い電流源との２種類の電流源を備える場合について説明したが、これに限らず、３種類の電流源を備えてもよい。
【０１０６】
例えば、定電流源が、３種類の電流源を備える乗除算回路により構成されている場合を、以下に説明する。
【０１０７】
上記乗除算回路は、絶対温度に比例する特性を有し、且つ電流値が固定である電流源、絶対温度に比例する特性を有し、且つ電流値が可変である電流源、および、温度依存性の無い電流源を備えている。
【０１０８】
上記乗除算回路は、（α×β）／γの乗除算を行う回路であり、αが上記絶対温度に比例する特性を有し、且つ電流値が固定である電流源からの供給電流であり、βが上記絶対温度に比例する特性を有し、且つ電流値が可変である電流源からの供給電流であり、γが温度依存性の無い電流源からの供給電流であるので、乗除算回路の電流は、絶対温度の二乗に比例する。
【０１０９】
このように、電流源が、温度特性に加え、電流特性（例えば、電流値が固定、電流値が可変、または電源電圧依存性の有無など）を有すると、３種類の電流源を備えても、本実施の形態の定電流源を構成することが可能となり、本実施の形態と略同様の効果が得られる。
【０１１０】
また、絶対温度に比例する特性を有する電流源および温度依存性の無い電流源は、集積回路ではよく使用される。
【０１１１】
以上のように、本実施の形態のレベル検波回路１００では、増幅器１０は、利得が絶対温度に比例する特性を有し、且つ、二乗演算回路２０は、出力信号が温度の二乗に反比例する特性を有するので、該増幅器１０から出力される信号が、該二乗演算回路２０に入力されることで、該二乗演算回路２０から出力される信号の温度特性が相殺され、該二乗演算回路２０からの出力信号に温度依存性がなくなる。
【０１１２】
よって、上記レベル検波回路１００は、増幅器１０の出力信号の温度特性、二乗演算回路２０の出力信号の温度特性を規定するだけで実現できる。
【０１１３】
したがって、増幅器１０の出力信号の温度特性、二乗演算回路２０の出力信号の温度特性は、トランジスタ、抵抗、およびコンデンサなどの集積回路で使用される一般的な素子を組み合わせることで実現することができるので、レベル検波回路１００の出力信号の温度を補償するための特殊なデバイスを必要とせず、レベル検波回路１００を集積回路上で簡単に実現することが可能となる。
【０１１４】
また、レベル検波回路は、テレビ、ラジオ、携帯電話、およびコードレスホンなどの、受信する信号の大きさが決まっていない無線受信装置などの通信機器に、好適に用いてもよい。
【０１１５】
上記通信機器がＡＧＣ（オートマチックゲインコントローラ）回路を用いている場合、図６に示すレベル検波回路２０４を、本実施の形態のレベル検波回路１００に置き換える。
【０１１６】
信号が入力されてから、出力されるまでの動作は、上述した図６を用いた説明において、上記レベル検波回路２０４の説明部分を、本実施の形態のレベル検波回路１００の説明部分に置き換えればよい。
【０１１７】
上記の構成によれば、上記レベル検波回路２０４から出力されるＤＣ電圧は温度依存性を有していたが、本実施の形態のレベル検波回路１００から出力されるＤＣ電圧は温度依存性を抑制している。それゆえ、より安定した出力信号を得ることが可能となる。
【０１１８】
また、上記無線受信装置が本実施の形態のレベル検波回路１００を備える場合、例えば、無線受信装置が受信圏外にあるか否かを判定するために、レベル検波回路１００は用いられる。
【０１１９】
上記無線受信装置が受信圏外にあるか否かを示すインジケータとして、携帯電話のアンテナ表示の棒グラフ（圏外表示）、テレビやビデオなどでノイズが大きい場合のブルーバック表示（画面を青くする）、ラジオなどのミュート機能（ノイズが大きければ音声を切る）、および、コードレスホンの親機と子機との距離が離れすぎたときの警告音発生がある。
【０１２０】
また、例えば、無線受信装置のチャンネルサーチとして、レベル検波回路１００は用いられる。
【０１２１】
上記チャンネルサーチとして、放送チャンネルサーチ（テレビなどでその地域の受信チャンネルをサーチする機能）、並びに、コードレスホン、携帯電話、および無線ＬＡＮの空きチャンネルサーチ（他人が使用している周波数を避け、空いている周波数で通信を行う）がある。
【０１２２】
また、例えば、無線受信装置以外に、レベル検波回路１００はパワーメータなどの測定器に用いられる。
【０１２３】
上記通信機器は様々な温度環境下で使用されるので、レベル検波回路から出力される信号は、温度影響を受け不安定になる。
【０１２４】
しかしながら、出力信号の温度依存性を抑制することが可能なレベル検波回路を備えているので、様々な環境下で使用しても、安定した出力信号を得ることが可能となる。
【０１２５】
なお、本発明は、上記の実施の形態に限定されるものではなく、本発明の範囲内で種々の変更が可能である。
【産業上の利用可能性】
【０１２６】
本発明のレベル検波回路は、受信する信号の大きさが決まっていない無線受信装置のような通信機器に好適に利用することができる。
【図面の簡単な説明】
【０１２７】
【図１】本発明におけるレベル検波回路の実施の一形態を示すブロック図である。
【図２】上記レベル検波回路の構成を示す回路図である。
【図３】上記レベル検波回路における増幅器の構成を示す回路図である。
【図４】上記レベル検波回路における二乗演算回路の構成を示す回路図である。
【図５】上記レベル検波回路における定電流源の構成を示す回路図である。
【図６】レベル検波回路を備えたＡＧＣ回路の構成を示す回路図である。
【符号の説明】
【０１２８】
１０    増幅器
２０    二乗演算回路
２３    定電流源
４０    ＬＰＦ
５０    定電流源
５１    電流源
５２    電流源
１００  レベル検波回路
２００  ＡＧＣ回路
２０４  レベル検波回路
【図１】
2007288533.tif 000011
【図２】
2007288533.tif 000012
【図３】
2007288533.tif 000013
【図４】
2007288533.tif 000014
【図５】
2007288533.tif 000015
【図６】
2007288533.tif 000016